(57)【要約】【課題】肘掛け部と背もたれ部との間に手指部が挟まらない安全なポータブルトイレを提供する。【解決手段】便器本体部（１）と、該便器本体部の上面側左右縁部に着脱可能に取り付けられる肘掛け部（１１ａ，ｂ）と、便器本体部の上面後方部に立設される背もたれ部（６）と、を備えたポータブルトイレであって、肘掛け部は、上下方向にスライドして高さ調節が可能な高さ調節手段を備え、背もたれ部は、肘掛け部との対向部（２５ａ，ｂ）が、肘掛け部の上下方向移動の軌跡に応じた形状で形成されており、背もたれ部の対向部と、肘掛け部の背もたれ部側の端部との相対間隔が、手指部が入り込まない程度の隙間（Ｙ）で構成されている。【選択図】　　　　　図２
2004097348.tif 000002
【特許請求の範囲】
【請求項１】
便器本体部と、該便器本体部の上面側左右縁部に着脱可能に取り付けられる肘掛け部と、前記便器本体部の上面後方部に立設される背もたれ部と、を備えたポータブルトイレであって、
前記肘掛け部は、上下方向にスライドして高さ調節が可能な高さ調節手段を備え、
前記背もたれ部は、前記肘掛け部との対向部が、前記肘掛け部の上下方向移動の軌跡に応じた形状で形成されており、
前記背もたれ部の前記対向部と、前記肘掛け部の前記背もたれ部側の端部との相対間隔が、手指部が入り込まない程度の隙間で構成されていることを特徴とする肘掛け付きポータブルトイレ。
【請求項２】
前記背もたれ部が、前記本体部の上面後方の左右端部に立設された柱部を有し、
前記肘掛け部が、水平方向に渡された肘当て部と、その肘当て部の下面側から下方に垂下された支持棒部とを有し、前記肘掛け部の後端部が前記柱部の前側縁部と対向する位置に配設されており、
前記支持棒部は、前記本体部の上面左右縁部から内部に垂直方向に設けられた筒状の長穴部に挿入され、その長穴部の内部をスライドすることにより上下方向に移動可能に構成され、
前記柱部の前面側が、前記肘掛け部前記肘掛け部の移動軌跡と同じ垂直方向に沿った端部で構成されている、
ことを特徴とする請求項１記載の肘掛け付きポータブルトイレ。
【発明の詳細な説明】
【０００１】
【発明の属する技術分野】
本発明は、肘掛け付きのポータブルトイレに関するものであり、特に、肘掛けの高さ調節が可能なポータブルトイレに関するものである。
【０００２】
【従来の技術】
肘掛けの高さ調節が可能な肘掛け付きポータブルトイレは従来から広く利用されている。例えば、特許文献１に記載されているポータブルトイレでは、肘掛けが便器本体部の側面部に取り付けられた固定装置によって固定されており、肘掛けの高さ調節は、便器本体部の側面部にある固定装置を解除して肘掛けを上下方向にスライドさせることによって行っていた。
【０００３】
【特許文献１】
特開平９−１２２０４１号公報
【０００４】
【発明が解決しようとする課題】
しかしながら、上記従来の技術では、肘掛け部と背もたれ部との隙間が大きいため、その隙間に手指が入り込んで挟まってしまい、肘掛け部を移動させる際に、この隙間部に誤って手指を挟み込んで怪我をするおそれがあった。
【０００５】
本発明は、斯かる実情に鑑み、肘掛け部と背もたれ部との間に手指部が挟まらない安全な肘掛け付きポータブルトイレを提供することにある。さらに、本発明は、肘掛け部が上下移動の如何なる高さ位置にあっても手指部が肘掛け部と背もたれ部との間に挟まることがない安全な肘掛け付きポータブルトイレを提供することを目的とする。
【０００６】
【課題を解決するための手段】
上記目的を達成するために、請求項１に記載の発明では、便器本体部と、該便器本体部の上面側左右縁部に着脱可能に取り付けられる肘掛け部と、前記便器本体部の上面後方部に立設される背もたれ部と、を備えたポータブルトイレであって、前記肘掛け部は、上下方向にスライドして高さ調節が可能な高さ調節手段を備え、前記背もたれ部は、前記肘掛け部との対向部が、前記肘掛け部の上下方向移動の軌跡に応じた形状で形成されており、前記背もたれ部の前記対向部と、前記肘掛け部の前記背もたれ部側の端部との相対間隔が、手指部が入り込まない程度の隙間で構成されていることを特徴とする肘掛け付きポータブルトイレを提供する。
【０００７】
さらに、請求項２記載の発明では、請求項１記載発明において、前記背もたれ部が、前記本体部の上面後方の左右端部に立設された柱部を有し、前記肘掛け部が、水平方向に渡された肘当て部と、その肘当て部の下面側から下方に垂下された支持棒部とを有し、前記肘掛け部の後端部が前記柱部の前側縁部と対向する位置に配設されており、前記支持棒部は、前記本体部の上面左右縁部から内部に垂直方向に設けられた筒状の長穴部に挿入され、その長穴部の内部をスライドすることにより上下方向に移動可能に構成され、前記柱部の前面側が、前記肘掛け部前記肘掛け部の移動軌跡と同じ垂直方向に沿った端部で構成されている、ことを特徴とするものである。
【０００８】
本発明における肘掛け部は、ポータブルトイレの上面側左右縁部に着脱可能に取り付けられるものであり、上下方向に高さ調節が可能な高さ調節手段を備えて構成される。この高さ調節手段自体は、上下方向にスライドできる構造のものであれば本発明においては何れの手段であっても含まれるものである。また、本発明の背もたれ部は、ポータブルトイレの便器本体部の上面後方部に立設されるものであり、ポータブルトイレの便座部に座って使用者が背中をもたれ掛けることのできる構造のもの全てを含む概念のものである。
【０００９】
本発明のような肘掛け部と背もたれ部を備えたポータブルトイレでは、肘掛け部と背もたれ部との間に隙間があると手指が挟まったりして大変危険であることは前述した通りである。そして、肘掛け部の高さを調節できる形式のポータブルトイレでは、肘掛け部が上下移動するため、肘掛け部が上下移動する全ての位置（範囲）において肘掛け部と背もたれ部との隙間に手指が挟まらないようにしなければ決して安全とは言えない。
【００１０】
そこで、本発明では、肘掛け部と相対する（対向する）背もたれ部の対向部を、肘掛け部の上下方向移動の軌跡に応じた形状となるように形成し、その相対間隔を手指部が入り込まない程度の間隔としている。これにより、肘掛け部と背もたれ部とが相対する面の相互距離（即ち、対向部の相対隙間）は肘掛け部が上下移動する範囲内であれば常に一定となる。
【００１１】
より具体的に言うと、例えば、請求項２記載発明のように、肘掛け部が鉛直方向に上下移動する形式であれば、肘掛け部と相対する背もたれ部の対向部の形状を、肘掛け部の鉛直方向の上下移動に応じた（沿った）垂直部（又は垂直面）で形成すれば、肘掛け部と背もたれ部との隙間間隔は肘掛け部の上下移動の全範囲において一定となる。
【００１２】
さらに、本発明では、背もたれ部と肘掛け部とが手指部が入り込まない程度での隙間で取り付けられるものである。よって、肘掛け部を高さ調節するために上下方向に移動しても、肘掛け部が上下移動範囲内にあれば如何なる高さ位置にあっても背もたれ部と肘掛け部との間の隙間は一定であり、かつ、手指部が入り込まない程度の隙間しか存在しないこととなる。
【００１３】
従って、本発明によれば、肘掛け部が上下方向へ移動する全ての位置において、背もたれ部の肘掛け部と相対する対向部は、肘掛け部の軌跡に応じた形状となっており、しかも、背もたれ部と肘掛け部との隙間が手指部が入り込まない程度に狭くなっているから、肘掛け部が如何なる高さ位置にあろうとも手指部が背もたれ部との間に入り込むことのない安全な肘掛け付きポータブルトイレとなるのである。
【００１４】
ここで、本発明において、肘掛け部と相対する背もたれ部の対向部の形状は、肘掛け部の上下方向移動の軌跡に応じた（沿った）ものであるが、この対向部の形状は肘掛け部の移動方向に応じて定められるものである。例えば、上述のように肘掛け部が鉛直方向に上下移動する場合には、肘掛け部と相対する背もたれ部の面形状は、肘掛け部の鉛直方向移動に沿った垂直（平面）部を含んだ形状となる。また、肘掛け部が上下方向で斜めに移動する場合には、この斜めに移動する軌跡に沿った斜め傾斜（平面）部を含んだ対向部の形状となる。
【００１５】
なお、肘掛け部と相対する背もたれ部の対向部は、請求項２記載発明のように、背もたれ部の前部（あるいは背もたれの柱部の前部）に肘掛け部が配置される場合には、背もたれ部（又は柱部）の前部が肘掛け部と相対する対向部となり、この対向部と背もたれ（柱部の）前部に肘掛け部の移動軌跡に応じた形状が形成される。
【００１６】
また、肘掛け部が背もたれ部（又背もたれのは柱部）の側面と対面するように配置される場合には、背もたれ部の側面部が肘掛け部と相対する対向部となり、この対向部となる側面部に、上記同様に肘掛け部の移動軌跡に応じた縁又は面形状が形成されることとなる。
【００１７】
本願請求項２記載発明では、前記背もたれ部が、前記本体部の上面後方の左右端部に立設された柱部を有している。この場合、左右の柱部の間に使用者の背中が当たる背板部が形成される。
【００１８】
そして、この発明では、前記肘掛け部が、水平方向に渡された肘当て部と、その肘当て部の下面側から下方に垂下された支持棒部とを有し、前記肘掛け部の（肘当て部の）後端部が前記柱部の前側縁部と対向する位置に配設されている。即ち、肘掛け部の後端部（もっとも後に位置する部分）が前記柱部と最も近い部分になる。多くは、肘掛け部の肘当て部の後縁部分がもっとも柱部に近い位置に配設される。
【００１９】
そして、前記支持棒部は、前記本体部の上面左右縁部から内部に垂直方向に設けられた筒状の長穴部に挿入され、その長穴部の内部をスライドすることにより上下方向に移動可能に構成されている。即ち、この肘掛け部は、長穴部に沿って垂直方向の上下方向に移動することになるので、その移動軌跡も垂直方向になる。
【００２０】
このため、本発明では、前記柱部の前面側が、前記肘掛け部前記肘掛け部の移動軌跡と同じ垂直方向に沿った端部で構成されている。従って、肘掛け部の後端部は、上下の垂直方向に移動する際に、背もたれ部のうち最も近い対向部である柱の前側部が垂直状態に形成されているので、肘掛け部と背もたれ部との相対間隔は、移動の位置に依らず一定である。
【００２１】
なお、この背もたれ部（の柱部の前部）と肘掛け部（の肘当て部の後端部）との相対間隔が、手指等が挟み込まれない間隔で形成されているので、肘掛け部を上下方向に移動しても、使用者の手指などが挟み込まれる事故が未然に防止できる。
【００２２】
本発明の好ましい態様としては、例えば、便器本体部の上面後方部の両側縁部に背もたれ部の柱部をそれぞれ設け、この左右二つの柱部の上部に水平方向（左右方向）に背板部を掛け渡して背もたれ部を構成する。
【００２３】
そして、鉛直方向に高さ調節（上下移動）が可能な肘掛けを左右の柱部前側の位置に便器本体部と着脱可能にしてそれぞれ配置する。さらに、背もたれ部の柱部の前側部分を肘掛けの上下移動の軌跡に応じた形状、即ち鉛直部（あるいは鉛直面）に形成し、柱部と肘掛けとの隙間に手指部が入り込まない相対間隔に構成すればよい。
【００２４】
【発明の実施の形態】
以下、本発明の実施の形態を図示例と共に説明する。尚、図中、図と同一の符号を付した部分は同一物又は相当物を表わしている。図１及び図２は、本発明の一実施形態に係るポータブルトイレの全体構成を示しており、便器本体部１と、便器本体部１に設けられた便槽２の上部に配置されるＯ型の便座３と、その便座３の上部から便槽２の開口部４を覆うように設けられた折り畳み可能な便器蓋５と、前記便器本体部１の上面後方部から上方に延びる背もたれ部６と、背もたれ部６の前部の位置で、便器本体部１の上面両側に着脱可能に取り付けられた二つの肘掛け１１ａ，１１ｂとで主に構成されている。
【００２５】
肘掛け１１ａは、水平方向に配設された棒状形状の肘をのせるための肘当て１２ａと、この肘当て１２ａの下面に垂下されて肘当て部１２ａを下方から支える二つの支持棒１３ａ，１３ｂとで構成されており、肘当て１２ａの裏面側（便器本体部１と対面する側、下面側）には後述する高さ調節手段１０ａの操作部である操作レバー１４ａが設けられている。そして、この操作レバー１４ａを操作することによって、肘掛け１１ａの高さが調節されるようになっている。
【００２６】
さらに、肘当て１２ａの上面には図示していないが直鎖状低密度ポリエチレン（ＬＬＤＰＥ）樹脂製のクッション部材が形成されている。なお、肘当て部１２ａは肘を載せられる形状のものであればよいが、この実施形態では、肘当て部１２ａの後端部が支持棒１３ｂよりやや後方に張り出している。従って、肘当て部１２ａの後端部が肘掛け部のもっとも後端の部分となる。
【００２７】
支持棒１３ａ．１３ｂは、本体部１の左右端部に垂直方向に設けられた筒状の長穴部（図示せず）に挿入されており、その長穴部内をスライドすることで、鉛直上下方向に移動可能に構成されている。
【００２８】
肘掛け１１ａの高さ調節を行う高さ調節手段１０ａは、肘掛け１１ａに内蔵されている。この高さ調節手段１０ａについて図３と共に説明する。高さ調節手段１０ａは、肘掛け１１ａの肘当て部１２ａの裏面側に設けられた操作レバー１４ａの操作に連動する腕部材１５ａ，１５ｂと、該腕部材１５ａ，１５ｂと連動する連結棒１６ａ，１６ｂと、該連結部材１６ａ，１６ｂの下端部（図３中の下側）に設けられたテーパ部を有する板片２２ａ，２２ｂと、該板片２２ａ，２２ｂのテーパ部に対応するテーパ部を有する板部材２３ａ，２３ｂと、該板部材２３ａ，２３に設けられた突起１８ａ，１８ｂと、板片２２ａ，２２ｂに内蔵されるバネ１７ａ，１７ｂと、板部材２３ａ，２３ｂに当接するバネ２４ａ，２４ｂとで主に構成されている。
【００２９】
そして、操作レバー１４ａを矢印Ａに移動させ、握り部５０ａを下方から押し上げるように握ると、これに連動して腕部材１５ａ，１５ｂが上下に揺動して連結棒１６ａ，ｂを下方Ｄ方向（又は上方Ｃ方向）へ移動（往復運動）するようになっている。図４を用いてより詳細に説明すると、握り部５０ａは、上方が開口した略矩形箱形状をなしており、その内部には操作レバー１４ａの駆動部材５１ａが格納されており、握り部５０ａの下面から下方へ突出した操作レバー１４ａの水平方向の操作に伴って駆動部材５１ａが水平方向に移動するようになっている。
【００３０】
また、握り部５１ａの上面は蓋部５２ａで覆われると共に、駆動板片５３ａ，ｂが蓋部５２ａに開けられた貫通孔５８ａ，ｂにそれぞれ嵌め込まれている。操作レバー１４ａがロック状態（図４（ａ）の状態）のときには、駆動部材５１ａは駆動バネ５４ａの付勢力で握り部５０ａの内壁部（図４（ａ）の右側内壁部）に当接した状態となっており、この状態で、駆動板片５３ａ，ｂの下端部が駆動部材５１ａの上面に当接している。また、このとき駆動板片５３ａ，ｂの上端部は、図示していないが、肘当て１２ａとも当接した状態となっている。つまり、図４（ａ）の状態のときには、握り部５０ａは駆動板片５３ａ，ｂによって上下方向の移動が規制されているのである。よって、この図４（ａ）のときには、握り部５０ａが上方に移動しないから、肘掛け１１ａの上下方向スライドはされないこととなる。
【００３１】
操作レバー１４ａを矢印Ａ方向で図４（ｂ）に示す位置まで移動させると、駆動板片５３ａ，ｂが駆動部材５１ａの空間部５７ａ，ｂに入り込む。そうすると、握り部５０ａは上方向に移動が可能となり、握り部５０ａの上方向移動に伴って握り部５０ａの両端部５５ａ，ｂに接続された腕部材１５ａ，ｂが上下方向に揺動して、肘掛け１１ａの上下方向の高さ調節ができるのである。なお、操作レバー１４ａは、普段は図４（ａ）の状態（ロック状態）に維持されるように駆動バネ５４ａで付勢されている。
【００３２】
図３に示す状態は、肘掛け１１ａが便器本体部１に取り付けられてある高さ位置に固定されている状態を示しており、肘掛け１１ａの便器本体部１との高さ位置の固定は、板部材２３ａ，２３ｂの下部に設けられた突起１８ａ，１８ｂが便器本体部１の係止穴部（筒状の長穴部の側面位置に形成される、不図示）に嵌め込まれることによって行われている。
【００３３】
この肘掛け１１ａの高さ位置を調節するときには、まず、肘当て部１２ａの裏面側に設けられた操作レバー１４ａを矢印Ａ方向にスライドさせ、握り部５０ａを握って上方に引き上げる。すると、握り部５０ａの動作に連動して腕部材１５ａ，１５ｂはそれぞれ所定の軸（５６ａ，ｂ）を中心に揺動して、連結棒１６ａ，１６ｂを矢印Ｄ方向へ移動させる。連結棒１６ａ，１６ｂの下端部には板片２２ａ，２２ｂが取り付けられているから、連結棒１６ａ，１６ｂの動作に伴って板片２２ａ，２２ｂも矢印Ｄ方向に移動する。
【００３４】
板片２２ａ，２２ｂが矢印Ｄ方向に移動すると、板部材２３ａ，２３ｂがバネ２４ａ，２４ｂの付勢力に抗して板片２２ａ，２２ｂと接するテーパ部に沿って矢印Ｅ方向に移動する。これに連動して、板部材２３ａ，２３ｂの下部に設けられた突起１８ａ，１８ｂが支持棒１３ａ，１３ｂ内部側にへこんで、便器本体部１の係止穴部（不図示）との嵌合状態が解除される。よって、操作レバー１４ａを操作したまま肘当て部１２ａを上側に引き上げてやれば、肘掛け１１ａの高さ調節が行える。
【００３５】
そして、任意のある位置（係止孔部がある位置）まで肘当て部１２ａを引き上げた後に、握り部５０ａを握るのを止めると、図４に示す駆動バネ５４ａの付勢力で矢印Ｂ方向に戻り、腕部材１５ａ，１５ｂが揺動し、これに連動して連結棒１６ａ，１６ｂが矢印Ｃ方向に移動し、バネ２４ａ，２４ｂの付勢力で突起１８ａ，１８ｂを矢印Ｆ方向に押出す。よって、突起１８ａ，１８ｂは便器本体部１の係止穴部（不図示）にしっかりと嵌め込まれ、肘掛け１１ａは所定の高さ位置に調節できる。
【００３６】
また、肘掛け１１ａが所定の高さ位置で固定された状態（図３の状態）では、板片２２ａ，２２ｂに内蔵されたバネ１７ａ，１７ｂの付勢力によって、板片２２ａ，２２ｂは常時矢印Ｃ方向に押圧されているため、突起１８ａ，１８ｂはバネ２４ａ，２４ｂの付勢力によって常時矢印Ｆの向きへ押圧されるようになっており、肘掛け１１ａの高さ位置の固定が確実に維持（ロック）される構成となっている。
【００３７】
なお、肘掛け１１ｂも上述した肘掛け１１ａと同様の構成となっており、上述した高さ調節手段１０ａと同様の高さ調節手段１０ｂが内蔵されているため、肘掛け１１ｂについての説明は省略する。
【００３８】
一方、背もたれ部６は、本体部１の上面後部の左右側部にそれぞれ設けられた柱部７ａ，７ｂと、その柱部７ａ，７ｂの上部に左右方向に掛け渡された背板部８とを備えて構成されており、背板部８の表面（前面）側には、背中をもたれ掛けた際に座り心地を良くするために直鎖状低密度ポリエチレン（ＬＬＤＰＥ）樹脂製のクッション部材が形成されている。
【００３９】
背もたれ部６の柱部７ａ，７ｂは、肘掛け部１１ａ，１１ｂと相対する対向部が肘掛け部１１ａ，１１ｂの移動の軌跡に応じた形状となっている。即ち、本実施形態においては、肘掛け部１１ａ，１１ｂは背もたれ部６の柱部７ａ，７ｂの前部（図２において右側）に配置されており、柱部７ａ，７ｂの肘掛け部１１ａ，１１ｂと相対する対向部は柱部７ａ，７ｂの前面部（２５ａ，２５ｂ）となる。
【００４０】
さらに、本実施形態では肘掛け部１１ａ，１１ｂは鉛直方向に上下移動する形式であるので、対向部２５ａ，２５ｂは、肘掛け部１１ａ，１１ｂの移動軌跡に応じて側面視で垂直方向に形成された形状となっている。実際には、この実施態様では、柱部７ａ，７ｂの前面側の対向部２５ａ，２５ｂは、鉛直状態の平面部で構成されている。
【００４１】
即ち、本実施形態では、背もたれ部６の柱部７ａ，７ｂは、その前部分が対向（面）部２５ａ，２５ｂとなり、この対向部２５ａ，２５ｂが垂直方向に平面が形成された形状となっている。よって、図２に示すように、背もたれ部６の側面視で対向部２５ａ，２５ｂが垂直線となるのである。
【００４２】
そして、背もたれ部６の柱部７ａ，７ｂと肘掛け部１１ａ，１１ｂとの隙間は手指部の入らない程度となるように構成されている。つまり、図２に示すように、対向部（相対面）部２５ａ，２５ｂは、肘掛け部１１ａ，１１ｂの高さ調節可能な全範囲において肘掛け部１１ａ，１１ｂの移動軌跡に応じた形状となっており、肘掛け部１１ａ，１１ｂの移動範囲の全てに亘って柱部７ａ，７ｂと肘掛け部１１ａ，１１ｂとの隙間Ｙは手指部が入り込まない程度となっている。なお、この隙間Ｙは、本実施形態においては約３ｍｍとしている。
【００４３】
このように構成された本実施形態に係るポータブルトイレによれば、背もたれ部６の柱部７ａ，７ｂの対向（相対面）部２５ａ，２５ｂが肘掛け部１１ａ，１１ｂの移動軌跡に応じた形状となっており、柱部７ａ，７ｂと肘掛け部１１ａ，１１ｂとの隙間Ｙが手指部が入り込まない程度の隙間（約３ｍｍ）となっているから、背もたれ部６と肘掛け部１１ａ，１１ｂとの間に誤って手指部が挟まってしまうこともなく安全に使用できる。しかも、肘掛け部１１ａ，１１ｂの上下移動の全ての範囲においても隙間Ｙは一定であるから、肘掛け部１１ａ，１１ｂが如何なる高さ位置にあっても手指が挟まる心配がなく、安全にポータブルトイレを使用できる。
【００４４】
また、別の実施形態を示す図５のように、背もたれ部１０６の柱部１０７ａの前面部に、肘掛け１１１ａの肘当て１１２ａの形状に応じた溝１１９を設け、この溝１１９内で肘当て１１２ａが上下方向に移動可能に構成してもよい。この実施形態でも、隙間Ｙ’を手指の入らない程度（例えば、３ｍｍ程度）としておけば安全である。
【００４５】
尚、本発明のポータブルトイレは、上述の実施形態にのみ限定されるものではなく、本発明の要旨を逸脱しない範囲内において種々変更を加え得ることは勿論である。
【００４６】
【発明の効果】
以上、説明したように、本発明に係るポータブルトイレによれば、肘掛け部と背もたれ部との間に手指が挟まることがなく安全に使用できるという優れた効果を奏し得る。しかも、肘掛け部が上下移動の如何なる高さ位置にあっても手指が挟まることなく安全である。
【図面の簡単な説明】
【図１】本発明の一実施形態に係るポータブルトイレの概略構成図である。
【図２】本発明の一実施形態に係るポータブルトイレの肘掛け部と背もたれ部の取付状態を説明するための図である。
【図３】本発明の一実施形態に係るポータブルトイレの肘掛けに備えられる高さ調節手段を説明するための図である。
【図４】本発明の一実施形態に係るポータブルトイレの肘掛けに備えられる高さ調節手段の操作部の詳細を説明するための図である。
【図５】本発明の別の実施形態に係るポータブルトイレの肘掛け部と背もたれ部の取付状態を説明するための図である。
【符号の説明】
１：便器本体
３：便座部
６：背もたれ部
７ａ，７ｂ：柱部
８：背板部
１０ａ，１０ｂ：高さ調節手段
１１ａ，１１ｂ：肘掛け
１２ａ，１２ｂ：肘当て
１３ａ，１３ｂ，１３ｃ，１３ｄ：支持棒
Ｙ：隙間
【図１】
2004097348.tif 000003
【図２】
2004097348.tif 000004
【図３】
2004097348.tif 000005
【図４】
2004097348.tif 000006
【図５】
2004097348.tif 000007